(57)【要約】【課題】  傘の柄を自転車のハンドルに掛け、傘の先を前パイプに沿わせる傘収納用具は市販されている。しかし、ハンドルにつけられた、傘を開けて保持する道具と併用するのは難しい。【解決する為の手段】  この傘収納用具は、自転車の前パイプの下パイプ近くに取り付ける。プラスティックの傘収納用具本体と、それに取り付ける扉と、先が鉤状になった、クリップタイプのロック補助用具、これらを自転車に取り付ける為の用具の、４つを合わせて傘収納用具とする。この用具は、傘が、前パイプにほぼ並行に、そして、ハンドルの下方に位置するようにとりつける。ロック補助用具と扉を本体に取り付け、ロック補助用具の、鉤状の部分は、扉の窪みに入り込むようにする。傘収納用具本体の外側の大きさは、およそ縦８ｃｍ，横８ｃｍ，高さ６ｃｍ程度とする。この傘収納用具は、数ｃｍ、前パイプから離れるので、ハンドルにつけられた、傘を開けて保持する道具の横に、傘を掛け、収納できる。【選択図】図１
2006008094.tif 000002
【特許請求の範囲】
【請求項１】
傘の柄を自転車のハンドルにぶらさげ、自転車の前パイプの、下パイプ近くに傘保持用具を取り付けて、傘の真ん中あたりを保持する方法を考えた。プラスティックの傘保持用具本体と、それに取り付ける扉と、先が鉤状になった、クリップタイプのロック補助用具、これらを自転車に取り付けるための用具の、４つを合わせて傘保持用具とする。この傘保持用具は、はめ込んだ傘が、前パイプにほぼ平行になるように取り付ける。プラスティックの傘保持用具本体に、先が鉤状になった、クリップタイプのロック補助用具を、はめ込む。クリップタイプのロック補助用具の、鉤状の部分が入り込む、窪みのある扉も、本体に取り付ける。傘保持用具本体の外側の大きさは、縦８ｃｍ，横８ｃｍ，高さ６ｃｍ程度とする。
【発明の詳細な説明】
【技術分野】
【０００１】自転車につける部品に関する
【技術背景】
【０００２】  傘の柄を自転車のハンドルに取り付け、傘の先を前パイプの横に沿わせる傘保持用具は市販されているが、傘の柄を自転車のハンドルにぶら下げるときの保持用具は、無いように思われる。
【課題】
【０００３】  雨が降りそうで、傘を持って行きたいときがある。傘の柄を自転車のハンドルに取り付け、傘の先を前パイプの横に沿わせる傘保持用具は市販されているが、傘の柄がハンドルより上に出るので、気軽には使用しにくい。
【問題を解決するための手段】
【０００４】  この傘保持用具は、自転車の前パイプの下パイプ近くに取り付ける。プラスティックの傘保持用具本体と、それに取り付ける扉と、先が鉤状になったクリップタイプのロック補助用具、これらを自転車に取り付けるための用具の、４つを合わせて傘保持用具とする。この傘保持用具は、傘が、前パイプにほぼ平行になるように取り付ける。プラスティックの傘保持用具本体に、先が鉤状になった、クリップタイプのロック補助用具を、はめ込む。クリップタイプのロック補助用具の、鉤状の部分が入り込む、窪みのある扉も、本体に取り付ける。傘保持用具本体の外側の大きさは、縦８ｃｍ，横８ｃｍ，高さ６ｃｍ程度とする。
【０００５】  Ｊ字状の傘の柄を自転車のハンドルにぶらさげ、先が鉤状になった、クリップタイプのロック補助用具を押して、ロック状態を解除し、扉を開ける。傘の本体を傘保持用具の入口から入れ、扉を、プラスティックの傘保持用具本体にぴったりとくっつけると、ロック補助用具の鉤状の部分が、扉の窪みに入り、ロック状態になる。
【効果】
【０００６】  傘の柄を、ハンドルにぶらさげ、傘を前パイプの横に添わせるように収納することができる。
【図面の簡単な説明】
【０００７】
【図１】  傘保持用具と、傘を、傘保持用具を使ってぶらさげた様子
【図２】  図１の傘保持用具をつけにくいときに使う、別タイプの傘保持用具
【図３】  傘保持用具本体に、扉と、ロック補助用具を、取り付けた図
【図４】  傘保持用具本体と、扉と、ロック補助用具を、離した図
【図５】  傘保持用具の扉を開け、傘を入れようとする様子
【図６】  ロック補助用具を内側から見た図
【図７】  傘保持用具を自転車に取り付けるための用具
【符号の説明】
【０００８】  １  自転車の前パイプ
２  自転車のハンドル
３  傘保持用具本体
４  傘保持用具を自転車に取り付けるための用具、その１
５  傘保持用具を自転車に取り付けるための用具、その２
６  ボルト
７  ナット
８  上パイプ
９  下パイプ
１０  傘
１１  先が鉤状になった、クリップタイプのロック補助用具
１２  傘保持用具本体に取り付ける扉
１３  ロック補助用具につけるバネ
１４  ロック補助用具の、本体に差し込む部分
１５  １４を差し込む穴
１６  扉の、本体に差し込む部分
１７  １６を差し込む穴
１８  扉が９０°以上開かない為の、補助具
１９  ロック補助用具につけるバネ受け
２０  傘保持用具本体につける、バネの位置を固定するための、低い円筒状のでっぱり
２１  扉の開閉部分につける、本体に食い込ます部分
２２  ２１を滑り込ませる、本体に付けるへこみ
２３  ロック補助用具１１の鉤状の部分
２４  ２３を差し込む窪み
２５  ボルトを通す穴
【図１】
2006008094.tif 000003
【図２】
2006008094.tif 000004
【図３】
2006008094.tif 000005
【図４】
2006008094.tif 000006
【図５】
2006008094.tif 000007
【図６】
2006008094.tif 000008
【図７】
2006008094.tif 000009
【手続補正書】
【提出日】平成17年4月22日(2005.4.22)
【手続補正１】
【補正対象書類名】特許請求の範囲
【補正対象項目名】請求項１
【補正方法】変更
【補正の内容】
【請求項１】
傘の柄を自転車のハンドルに掛け、自転車の前パイプの、下パイプ近くに傘収納用具を取り付けて、傘の真ん中辺りを保持する方法を考えた。プラスティックの傘収納用具本体と、それに取り付ける扉と、先が鉤状になった、クリップタイプのロック補助用具、これらを自転車に取り付ける為の用具の、４つを合わせて傘収納用具とする。この傘収納用具は、はめ込んだ傘が、自転車の前パイプにほぼ並行に、そして、ハンドルの下方に位置するようにとりつける。ロック補助用具と扉を傘収納用具本体に取り付け、ロック補助用具の、鉤状の部分は、扉の窪みに入り込むようにする。傘収納用具本体の外側の大きさは、およそ縦８ｃｍ，横８ｃｍ，高さ６ｃｍ程度とする。
【手続補正２】
【補正対象書類名】明細書
【補正対象項目名】全文
【補正方法】変更
【補正の内容】
【発明の詳細な説明】
【技術分野】
【０００１】自転車につける部品に関する
【技術背景】
【０００２】  傘を自転車の前パイプに添わせるように収納する、傘収納用具は市販されている。しかし、この、市販されている傘収納用具は、自転車のハンドルにつけられた、傘を開けて保持する道具と併用するのは難しい。
【課題】
【０００３】  雨が降りそうで、傘を持って行きたいときがある。傘を自転車の前パイプに添わせるように収納する、傘収納用具は市販されている。しかし、自転車のハンドルにつけられた、傘を開けて保持する道具を既に取り付けている場合、併用するのは難しい。
【解決する為の手段】
【０００４】  この傘収納用具は、自転車の前パイプの下パイプ近くに取り付ける。プラスティックの傘収納用具本体と、それに取り付ける扉と、先が鉤状になった、クリップタイプのロック補助用具、これらを自転車に取り付ける為の用具の、４つを合わせて傘収納用具とする。この傘収納用具は、はめ込んだ傘が、前パイプにほぼ並行に、そして、ハンドルの下方に位置するようにとりつける。ロック補助用具と扉を、傘収納用具本体に取り付ける。ロック補助用具の、鉤状の部分は、扉の窪みに入り込むようにする。傘収納用具本体の外側の大きさは、およそ縦８ｃｍ，横８ｃｍ，高さ６ｃｍ程度とする。
【０００５】  Ｊ字状の傘の柄を自転車のハンドルに掛け、先が鉤状になった、クリップタイプのロック補助用具を押して、ロック状態を解除し、扉を開ける。傘の本体を傘収納用具の入口から入れ、扉を、プラスティックの傘収納用具本体にぴったりとくっつけると、ロック補助用具の鉤状の部分が、扉の窪みに入り、ロック状態になる。
【効果】
【０００６】  この傘収納用具は、既に市販されている、自転車につける傘収納用具に比べ、数ｃｍ、前パイプから離れるので、ハンドルにつけられた、傘を開けて保持する道具の横に、傘の柄を掛け、収納できる。雨が降っていないとき、この傘収納用具を使い、傘を収納し、運べる。
【０００７】  傘収納用具がなくて、傘の柄をハンドルに掛けたとき、傘の先を、前輪と下パイプの間に挟んで、自転車が倒れそうになることがある。そういうことも防げる。
【図面の簡単な説明】
【０００８】
【図１】傘を、傘収納用具を使って収納した様子と、傘収納用具
【図２】図１の傘収納用具を付けにくいときに使う、別タイプの傘収納用具
【図３】傘収納用具本体に、扉と、ロック補助用具を、取り付けた図
【図４】傘収納用具本体から、扉と、ロック補助用具を、離した図
【図５】傘収納用具の扉を開け、傘を入れようとする様子
【図６】ロック補助用具をつけて内側から見た図と、ロック補助用具だけの図
【図７】傘収納用具を自転車に取り付ける為の用具
【図８】傘収納用具の扉を開ける様子
【図９】傘収納用具の扉を閉じる様子
【符号の説明】
【０００９】１  自転車の前パイプ２  自転車のハンドル３  傘収納用具本体４  傘収納用具を自転車に取り付ける為の用具、その１５  傘収納用具を自転車に取り付ける為の用具、その２６  ボルト７  ナット８  上パイプ９  下パイプ１０  傘１１  先が鉤状になった、クリップタイプのロック補助用具１２  傘収納用具本体に取り付ける扉１３  ロック補助用具につけるバネ１４  ロック補助用具の、傘収納用具本体に差し込む部分１５  １４を差し込む穴１６  扉の、傘収納用具本体に差し込む部分１７  １６を差し込む穴１８  扉が９０°以上開かない為の、補助具１９  ロック補助用具につけるバネ受け２０  ロック補助用具につける、バネの位置を固定する為の、低い円筒状のでっぱり２１  扉の開閉部分につける、傘収納用具本体に食い込ます部分２２  ２１を滑り込ませる、傘収納用具本体に付けるへこみ２３  ロック補助用具１１の鉤状の部分２４  ２３を差し込む、扉の窪み２５  ボルトを通す穴
【手続補正４】
【補正対象書類名】図面
【補正対象項目名】図１
【補正方法】変更
【補正の内容】
【図１】
2006008094.tif 000010
【手続補正５】
【補正対象書類名】図面
【補正対象項目名】図７
【補正方法】変更
【補正の内容】
【図７】
2006008094.tif 000011
【手続補正６】
【補正対象書類名】図面
【補正対象項目名】図８
【補正方法】追加
【補正の内容】
【図８】
2006008094.tif 000012
【手続補正７】
【補正対象書類名】図面
【補正対象項目名】図９
【補正方法】追加
【補正の内容】
【図９】
2006008094.tif 000013